(57)【特許請求の範囲】
【請求項１】
浴室外部に設置した機器より発生するドレン水を、壁裏面に併設した配管から壁を貫通する壁貫通金具を介して浴室内に排水するようにしたドレン排水構造において、壁貫通金具の先端開口と対向する軸方向の一端が開口し且つ他端が閉塞された接続継手を備え、上記接続継手の開口側に壁貫通金具に対して螺着される第１のネジ部を設け、閉塞側に化粧カバーが螺着される第２のネジ部を設け、接続継手の周側面の一部にドレン排水口を設けたことを特徴とするドレン排水構造。
【請求項２】
上記壁貫通金具には、接続継手の第１のネジ部を構成する外ネジが螺着可能な内ネジが設けられ、上記内ネジには、接続継手に代えて、一端が浴槽パンの排水口近傍に達するドレンホースの他端に設けたドレンホース継手のニップル金具が螺着可能となっていることを特徴とする請求項１記載のドレン排水構造。
【請求項３】
上記壁貫通金具に対して接続継手を介して化粧カバーを接続した場合は、接続継手のドレン排水口は、壁貫通金具の先端開口と化粧カバーの内端面との間の隙間に臨んで配置されることを特徴とする請求項１記載のドレン排水構造。
【請求項４】
上記接続継手の閉塞側の外端面に、締め付け工具挿入用の溝を設けたことを特徴とする請求項１乃至３のいずれかに記載のドレン排水構造。
【発明の詳細な説明】
【技術分野】
【０００１】
本発明は、バスユニットにおけるドレン排水構造に関するものである。
【背景技術】
【０００２】
従来から、バスユニットの天井位置に配置した機器より発生したドレン水を、壁裏面に併設した配管から壁を貫通する壁貫通金具を介して浴室内に排水するようにしたドレン排水構造が一般に知られている（例えば、特許文献１参照）。
【０００３】
ところで、浴槽パンを持たないバスユニットでは、例えば図９に示すように、壁貫通金具４’の先端下面にドレン排水口４９を設けて、洗い場にドレン排水を行なう洗い場排水タイプとされており、さらにこの洗い場排水タイプでは壁貫通金具４’の先端開口４ａを化粧カバー９によって蓋をするようにしている。
【０００４】
このため、従来の図９の洗い場排水タイプでは、ユーザーの視野に入らない場所、例えば、洗い場の洗面器カウンターの下方からドレン排水する場合にあっては、外観上必要のない化粧カバー９を用いて壁貫通金具４’の先端開口４ａの蓋をする必要があり、高価なメッキ仕様の化粧カバー９を用いることでコストが高くつくという問題がある。しかも壁貫通金具４’にドレン排水口４９と、このドレン排水口４９と干渉しないようにして化粧カバー９が螺着するネジ部５０をそれぞれ設ける必要があるため、壁貫通金具４’の突出寸法が必然的に大きくなり、使用上の安全性に欠けるといった問題もある。
【０００５】
また、浴槽パンを持っているバスユニットでは、ドレン排水口が設けられていない壁貫通金具４’に対してドレンホースを接続固定する浴槽パン排水タイプとされる。この浴槽パン排水タイプでは、前記洗い場排水タイプの壁貫通金具４’は使用できないため、洗い場排水タイプとは異なる壁貫通金具を用いなければならず、このため、各タイプごとに異なる種類の壁貫通金具を作製しなければならず、部品数が増加して一層のコスト高、施工の煩雑化を招くという問題もある。
【特許文献１】特開２００８−４５１号公報
【発明の開示】
【発明が解決しようとする課題】
【０００６】
本発明は上記の従来の問題点に鑑みて発明したものであって、その課題とするところは、部品のコスト低減を図ると共に納まりを良好にでき、しかも壁貫通金具の突出を最小にして使用の安全性を高めることができるドレン排水構造を提供することにあり、また、他の課題とするところは、浴槽パン排水タイプと洗い場排水タイプとで壁貫通金具を共用できるドレン排水構造を提供することにある。
【課題を解決するための手段】
【０００７】
前記の課題を解決するために、本発明は、浴室１外部に設置した機器より発生するドレン水を、壁２裏面に併設した配管３から壁２を貫通する壁貫通金具４を介して浴室１内に排水するようにしたドレン排水構造において、上記壁貫通金具４の先端開口４ａと対向する軸方向Ａの一端Ａ１が開口し且つ他端Ａ２が閉塞された接続継手５を備え、上記接続継手５の開口側に壁貫通金具４に対して螺着される第1のネジ部６を設け、閉塞側に化粧カバー９が螺着される第２のネジ部７を設け、接続継手５の周側面５ａの一部にドレン排水口８を設けたことを特徴としている。
【０００８】
このような構成とすることで、壁貫通金具４からのドレン水を接続継手５のドレン排水口８から浴室１内に排水できるようなる。しかも、接続継手５の軸方向Ａの他端Ａ２は閉塞されているので、ユーザーの視野に入らない場所、例えば洗い場の洗面器カウンターの下方からドレン排水する洗い場排水タイプにあっては、外観上必要のない化粧カバー９を省略できるようになる。さらに壁貫通金具４には従来のようなドレン排水口と化粧カバー９が螺着するネジ部とを設ける必要がないので、壁貫通金具４の突出寸法の最小化が容易となる。
【０００９】
また、上記壁貫通金具４には、接続継手５の第1のネジ部６を構成する外ネジが螺着可能な内ネジ１０が設けられ、上記内ネジ１０には、接続継手５に代えて、一端が浴槽パンの排水口近傍に達するドレンホース１１の他端に設けたドレンホース継手１１ａのニップル金具１２が螺着可能となっているのが好ましく、この場合、共通する１種類の壁貫通金具４を、接続継手５を接続する洗い場排水タイプと、ホース継手のニップル金具１２を接続する浴槽パン排水タイプとに共用できるようになり、部品コストを低減できると共に、省施工化を図ることができる。
【００１０】
また、上記壁貫通金具４に対して接続継手５を介して化粧カバー９を接続した場合は、接続継手５のドレン排水口８は、壁貫通金具４の先端開口４ａと化粧カバー９の内端面９ａとの間の隙間１３に臨んで配置されるのが好ましく、この場合、壁貫通金具４と化粧カバー９との間に配置される接続継手５のドレン排水口８からのドレン水を、壁貫通金具４や化粧カバー９に妨げられることなく、排水できるようになる。
【００１１】
また、上記接続継手５の閉塞側の外端面５ｂに、締め付け工具挿入用の溝１４を設けるのが好ましく、この場合、壁貫通金具４に対して接続継手５を締め付け工具を用いて容易に接続可能となる。
【発明の効果】
【００１２】
本発明は、壁貫通金具に接続される接続継手の周側面にドレン排水口を設けると共に、壁貫通金具と接続される軸方向の一端とは反対側の他端を閉塞したことにより、ユーザーの視野に入らない場所では、外観上必要のない化粧カバーを省略できるので、高価なメッキ仕様の化粧カバーを用いる必要がなくなる。さらに壁貫通金具の突出寸法を最小にできるので、化粧カバーを取り付けた場合でも薄型化を図ることができ、結果、コスト低減を図ると共に、納まりを良好にでき、引っ掛けによる怪我を防いで使用上の安全を高めることができるドレン排水構造を提供できるものである。
【００１３】
また本発明は、共通する１種類の壁貫通金具を、接続継手を接続する洗い場排水タイプと、ホース継手のニップル金具を接続する浴槽パン排水タイプとに共用できるようになり、部品コストの低減、省施工化を図ることができる。
【発明を実施するための最良の形態】
【００１４】
以下、本発明を添付図面に示す実施形態に基いて説明する。
【００１５】
システムバスユニットの天井位置には、加湿機能を有する暖房乾燥機が設置されており、ドレン水を壁２裏面に併設した配管３から壁２を貫通する壁貫通金具４を介して浴室１内に排水するようになっている。
【００１６】
壁貫通金具４は、図４〜図６に示すように、壁取付用エルボ継手により構成される壁貫通金具４の一端は継手金具６０を介して壁２裏面に併設した配管３に接続されている。壁貫通金具４の他端は浴室１の洗い場側に突出しており、浴室１内から固定ナット１６がゴムパッキン１７、スリットパッキン１８を介して壁貫通金具４の他端に設けた外ネジ部に接続固定されている。壁貫通金具４の浴室１内に突出する先端開口４ａの内面には内ネジ１０が設けられており、この内ネジ１０に対して接続継手５が螺着可能とされている。
【００１７】
図７は、接続継手５の一例を示している。本例の接続継手５は、壁貫通金具４の先端開口４ａと対向する軸方向Ａの一端Ａ１が開口し且つ他端Ａ２が閉塞された略筒形をしている。この接続継手５の開口側の外周面には、図１に示すように、壁貫通金具４に対して螺着される第１のネジ部である外ネジ６が設けられている。この外ネジ６は、上記壁貫通金具４の内ネジ１０に対してネジ込まれると共に、シールテープと廻り止め用の接着剤とによって接着固定されるようになっている。なお、ネジ込み部分に例えば、アクリル樹脂や、自己融着テープ等からなるネジロック剤を付加してもよい。
【００１８】
接続継手５の閉塞側（Ａ２）の外周面には、化粧カバー９に設けた内ネジ２０が螺着可能な第２のネジ部である外ネジ７が設けられている。さらに閉塞側の外端面５ｂには、締め付け工具挿入用の溝１４を設けている。例えば、マイナス溝としているが、プラス溝、或いは六角溝等であってもよい。
【００１９】
上記接続継手５の周側面５ａの一部に下方に開口するドレン排水口８が穿設されている。図３に示す例では、周側面５ａの下端部を直線状にカットしている。このドレン排水口８は、シールテープと廻り止め用の接着剤とによって常に下向きに接着固定されるようになっている。またドレン排水口８は、壁貫通金具４に対して接続継手５を介して化粧カバー９が接続された場合において、図２に示すように、壁貫通金具４の先端開口４ａと化粧カバー９の内端面９ａとの間の隙間１３に臨んで配置されるようになっている。本例では、ドレン排水口８と隙間１３とが一致するように、接続継手５の外ネジ６,７の有効ネジ代がそれぞれ設定されている。もちろんなこのような一致する場合に限らず、ドレン排水口８は例えば±２ｍｍ程度の範囲内で、壁貫通金具４の先端開口４ａ及び化粧カバー９の内端面９ａに対してそれぞれほぼ一致するものであればよい。
【００２０】
しかして、壁貫通金具４に接続継手５を介して化粧カバー９を取り付ける洗い場排水タイプ（図５）において、加湿機能を有する暖房換気乾燥機を動作させると、ドレン水が壁２裏の配管３、壁貫通金具４の先端開口４ａから、接続継手５の周側面５ａ下端に設けたドレン排水口８から洗い場側にドレン排水されるようになる。このとき、化粧カバー９が接続されている場合は、ドレン排水口８からのドレン水が、壁貫通金具４の先端開口４ａと化粧カバー９の内端面９ａとの隙間１３から洗い場の壁面を伝って排水される。また、洗い場に設けた洗面器カウンターの下方に壁貫通金具４が配置されてユーザーから見えない場合は、化粧カバー９は取り付けなくても済む。つまり、接続継手５の他端Ａ２は閉塞されているため、化粧カバー９で蓋をしなくてもよく、高価なメッキ製の化粧カバー９を省略できる。
【００２１】
また本例では、壁貫通金具４の先端開口４ａの内面に内ネジ１０を設けるだけで済むので、壁貫通金具４の突出寸法を最小にできるのに伴い、化粧カバー９を取り付けた場合でも薄型化を図ることができるので、納まりが良好になると共に、引っ掛けによる怪我を防いで使用上の安全を高めることができる利点がある。
【００２２】
また、図２のようにドレン排水口８を壁貫通金具４と化粧カバー９との間の隙間１３の幅寸法と一致させているので、接続継手５のドレン排水口８からのドレン水を壁貫通金具４や化粧カバー９に妨げられることなく、スムーズに排水できる利点がある。
【００２３】
さらに、接続継手５の閉塞側の外端面５ｂに締め付け工具挿入用の溝１４を設けたので、接続継手５を締め付け工具を用いて容易に壁貫通金具４に接続固定できる利点もある。
【００２４】
さらに本例では、壁貫通金具４の内ネジ１０には、図８に示すように、フレキシブルなドレンホース１１の端部に装着されるドレンホース継手１１ａのニップル金具１２が螺着可能となっている。つまり、接続継手５を用いず、壁貫通金具４にドレンホース継手１１ａのニップル金具１２を接続する浴槽パン排水タイプにおいては、壁貫通金具４からのドレン水をドレンホース１１を介して浴槽パンの排水口近傍に排水できるようになる。これより、本例の壁貫通金具４は、接続継手５を介して化粧カバー９を接続可能とする洗い場排水タイプと、ドレンホース継手１１ａのニップル金具１２を接続する浴槽パン排水タイプのいずれにも共通して使用し得る機能を有している。この結果、１種類の壁貫通金具４を用いて、洗い場排水タイプと浴槽パン排水タイプとを共用できるようになる利点がある。
【００２５】
前記実施形態では、バスユニットの天井位置に設置した機器より発生するドレン水の排水構造を説明したが、例えばバスユニットの壁裏に配した機器からのドレン水を排水する構造にも広く適用できるものである。
【図面の簡単な説明】
【００２６】
【図１】本発明の一実施形態の壁貫通金具に接続継手を介して化粧カバーを接続する洗い場排水タイプの一例を説明する分解斜視図である。
【図２】同上の壁貫通金具に接続継手を介して化粧カバーを接続した状態の断面図である。
【図３】同上の接続継手に設けられるドレン排水口を説明する断面図である。
【図４】同上の洗い場排水タイプを説明する分解側面図である。
【図５】同上の洗い場排水タイプを説明する断面図である。
【図６】同上の洗い場排水タイプを化粧カバー側から見た正面図である。
【図７】（ａ）〜（ｆ）は同上の接続継手の一部破断した側面断面図、ドレン排水口付近の断面図、側面図、（ａ）の背面図、（ａ）の正面図、（ｃ）の背面図である。
【図８】同上の浴槽パン排水タイプを説明する分解側面図である。
【図９】従来の洗い場排水タイプの説明図である。
【符号の説明】
【００２７】
１  浴室
２  壁
４  壁貫通金具
４ａ  先端開口
５  接続継手
５ａ  周側面
５ｂ  外端面
６  第1のネジ部
７  第２のネジ部
８  ドレン排水口
９  化粧カバー
９ａ  内端面
１０  内ネジ
１１  ドレンホース
１１ａ  ドレンホース継手
１２  ニップル金具
１３  隙間
１４  溝
Ａ  軸方向
Ａ１  軸方向の一端
Ａ２  軸方向の他端
【図１】
0004972023.tif 000002
【図２】
0004972023.tif 000003
【図３】
0004972023.tif 000004
【図４】
0004972023.tif 000005
【図５】
0004972023.tif 000006
【図６】
0004972023.tif 000007
【図７】
0004972023.tif 000008
【図８】
0004972023.tif 000009
【図９】
0004972023.tif 000010